(57)【特許請求の範囲】
【請求項１】
（ａ）カルテとほぼ同一平面形状を有する長方形シート状の基板と、
（ｂ）基板の長辺の一側部付近に設けられる綴じ装置であって、
（ｂ１）基板に固定される取付け板と、
（ｂ２）取付け板に、前記長辺に沿って間隔をあけて立設され、遊端部に第１連結部が形成され、カルテの長辺の一側部に形成された綴じ孔をそれぞれ貫通する複数のベース部材と、
（ｂ３）操作部材であって、
第１連結部に取外し可能にばね力によって連結される第２連結部を有し、
カルテの綴じ孔がベース部材の遊端部から第１および第２連結部の連結状態で綴じ孔よりも外側方に突出し、外方に抜け出すことを防ぐ抜け出し防止部を有する操作部材とを含むことを特徴とするカルテの収納装置。
【請求項２】
継ぎ足し部材をさらに含み、
この継ぎ足し部材は、
カルテの綴じ孔を貫通し、軸線方向の一端部に第１連結部に取外し可能にばね力によって連結される第３連結部を有し、
軸線方向の他端部に、第２連結部に取外し可能にばね力によって連結される第４連結部を有することを特徴とする請求項１記載のカルテの収納装置。
【請求項３】
ベース部材に、綴じられるカルテの外側部に突出した第１突片が設けられ、
操作部材に、綴じられるカルテの外側部に突出した第２突片が設けられ、
第１および第２突片間に、綴じられる複数枚のカルテの厚みよりも長く弾発的に伸びることができるばね部材が取付けられることを特徴とする請求項１または２記載のカルテの収納装置。
【請求項４】
第１連結部は、
基端部が取付け板に固定され、遊端部に装着孔を有する筒体と、
筒体内で装着孔に臨んでばね力を発生するばね片とを含み、
第２連結部は、
ばね片のばね力に抗して装着孔に挿脱自在である頭部と、
頭部に連なるくびれ部とを含むことを特徴とする請求項１記載のカルテ収納装置。
【請求項５】
第１および第２連結部は、それらの軸線まわりに３６０度未満の相互の角変位によって、着脱可能である構成を有することを特徴とする請求項１記載のカルテの収納装置。
【請求項６】
第１連結部は、外方に臨む案内溝を有し、
第２連結部は、案内溝に係合する係合凸部を有し、
操作部材には、ベース部材から遠去かる方向にばね力を発生する弾発片が設けられ、
案内溝は、操作部材がベース部材に近づく方向に弾発片のばね力に抗して一旦、押圧され、次にその押圧が行われなくなることによって、案内溝と係合凸部との係合状態を達成し、
この係合状態で、操作部材がベース部材に近づく方向に弾発片のばね力に抗して一旦、押圧され、次にその押圧が行われなくなることによって、係合状態を解除する構成を有することを特徴とする請求項１記載のカルテの収納装置。
【請求項７】
（ａ）基板に固定される取付け板と、
（ｂ）取付け板に、前記長辺に沿って間隔をあけて立設され、遊端部に第１連結部が形成され、カルテの長辺の一側部に形成された綴じ孔をそれぞれ貫通する複数のベース部材と、
（ｃ）操作部材であって、
第１連結部に取外し可能にばね力によって連結される第２連結部を有し、
カルテの綴じ孔がベース部材の遊端部から第１および第２連結部の連結状態で綴じ孔よりも外側方に突出し、外方に抜け出すことを防ぐ抜け出し防止部を有する操作部材とを含むことを特徴とするカルテの綴じ装置。
【発明の詳細な説明】
【０００１】
【発明の属する技術分野】
本発明は、病院などにおいて用いられるカルテを収納するための装置に関する。
【０００２】
【従来の技術】
カルテは、病院などで、患者の診療経過およびその患者の治療のための薬名などを含む医療関連情報を、医師などが手で筆記して記録し、またはプリンタで印字し、保管される。患者の受診回数が増すに従って、カルテの枚数が増してゆく。
【０００３】
従来では、このような複数枚のカルテを、たとえばセロファンテープでノート状に貼着けて綴じる。既存の商業的に容易に入手可能なプリンタは、単一枚の紙をプラテンに巻掛けて案内して搬送しつつ、印字ヘッドで印字する構成を有するので、使用中の最後のすなわち最新のカルテは、前記プリンタを用いて印字を可能とするために、記録済の綴られたカルテと一緒にセロファンテープで綴じておくことはできず、その最後のカルテ１枚だけ、取出すことができる必要がある。すなわちカルテは、プリンタによる印字がなされるとともに、医師などによる筆記が容易に可能でなければならない。
【０００４】
この問題を解決するために或る先行技術では、各患者毎にルーズリーフ式のバインダを準備し、このバインダは、受診回数の多い患者にも用いることができるようにするために、比較的ぶ厚く構成される。したがって１枚または２枚程度のカルテしか必要としない患者のためにも、そのようなぶ厚いルーズリーフ式バインダを準備しなければならず、無駄であり、そのようなぶ厚いバインダを多数保管するには、厚み方向に多くの保管スペースを必要とするという問題がある。
【０００５】
【発明が解決しようとする課題】
本発明の目的は、患者数およびカルテの枚数が増加しても、保管スペースを低減することができるようにし、しかも既存の商業的に容易に入手可能なプリンタを用いて印字記録を容易に行うことができるようにしたカルテの収納装置を提供することである。
【０００６】
【課題を解決するための手段】
本発明は、（ａ）カルテとほぼ同一平面形状を有する長方形シート状の基板と、
（ｂ）基板の長辺の一側部付近に設けられる綴じ装置であって、
（ｂ１）基板に固定される取付け板と、
（ｂ２）取付け板に、前記長辺に沿って間隔をあけて立設され、遊端部に第１連結部が形成され、カルテの長辺の一側部に形成された綴じ孔をそれぞれ貫通する複数のベース部材と、
（ｂ３）操作部材であって、
第１連結部に取外し可能にばね力によって連結される第２連結部を有し、
カルテの綴じ孔がベース部材の遊端部から第１および第２連結部の連結状態で綴じ孔よりも外側方に突出し、外方に抜け出すことを防ぐ抜け出し防止部を有する操作部材とを含むことを特徴とするカルテの収納装置である。
【０００７】
また本発明は、継ぎ足し部材をさらに含み、
この継ぎ足し部材は、
カルテの綴じ孔を貫通し、軸線方向の一端部に第１連結部に取外し可能にばね力によって連結される第３連結部を有し、
軸線方向の他端部に、第２連結部に取外し可能にばね力によって連結される第４連結部を有することを特徴とする。
【０００８】
本発明に従えば、後述の表紙部などのような基板に綴じ装置が設けられ、この綴じ装置は、基板に固定される取付け板に、複数、たとえば一対のベース部材が立設され、このベース部材は、カルテに形成された綴じ孔を貫通し、このベース部材に操作部材が着脱可能に連結され、こうしてカルテが綴じられて収納される。基板は、カルテとほぼ同一平面形状を有する矩形、たとえば長方形に形成され、医師が手書きで記録紙、またはプリンタを用いて印字することができる空白欄が残っているカルテは、綴じ装置から取外すことができる。カルテは、紙製であり、その１枚の厚みは薄い。綴じ装置のベース部材の軸線方向の厚み、すなわち高さを低く構成し、たとえばその高さを０．５〜１．０ｃｍ程度に選び、これによってカルテの枚数が少ない患者に対応してカルテを収納し、保存することができる。
【０００９】
医師が手で筆記するとき、またはプリンタによって印字して記録する必要があるとき、綴じ装置からカルテを取外し、筆記し、またはプリンタで印字を行うことが容易に可能である。筆記または印字後のカルテは、余白の空欄があれば、綴じ装置によって再び重ねて収納しておくことができる。基板は、たとえばカルテよりも厚い紙で構成されてもよく、または合成樹脂などから成ってもよい。本発明の構成は簡単であり、また厚み方向の保管スペースを低減することができるとともに、多数の患者毎のカルテを狭い倉庫に保管することができ、このことは特に患者毎のカルテの枚数が１枚または数枚であって少ない枚数であるとき、保管スペースの低減効果が大きく発揮される。
【００１０】
カルテの枚数が多く、その積み重ねた厚みが大きくなったとき、継ぎ足し部材を用いて、多数枚のカルテを取外し可能に収納することができる。
【００１１】
ベース部材の第１連結部と操作部材の第２連結部との連結は、ばね力によって達成され、また継ぎ足し部材の第３連結部とベース部材の第１連結部との連結および継ぎ足し部材の第４連結部と操作部材の第２連結部との連結もまた、ばね力によって達成される。したがってこのことによっても、構成の簡略化が図られる。このような第１〜第４連結部の構成は、永久磁石片などの磁力を利用する構成ではないので、患者の人体に悪影響を及ぼすことはなく、また患者が装着している心臓などの動作を制御する電子機器などに悪影響を及ぼすことはなく、さらに患者の診断を行う電子機器に悪影響を及ぼすことがない。さらに本発明のカルテの収納装置は、その全体を、電気絶縁性の合成樹脂製とすることができ、このことによってさらに患者などの病院などにおける周囲の環境への電気的および磁気的な悪影響を防ぐことができる。カルテの綴じ孔は、たとえば内径５〜６ｍｍφであってもよく、ベース部材および継ぎ足し部材の外径は、たとえば綴じ孔の内径未満の外径であって、３〜４ｍｍであってもよく、ベース部材と継ぎ足し部材の外径は、軸線方向、すなわち高さ方向に一様な円形断面を有し、たとえば直円筒状であってもよい。
【００１２】
また本発明は、ベース部材に、綴じられるカルテの外側部に突出した第１突片が設けられ、
操作部材に、綴じられるカルテの外側部に突出した第２突片が設けられ、
第１および第２突片間に、綴じられる複数枚のカルテの厚みよりも長く弾発的に伸びることができるばね部材が取付けられることを特徴とする。
【００１３】
本発明に従えば、ベース部材に設けられた第１突片と操作部材に設けられる第２突片とを、ばね部材で連結し、これによって操作部材がベース部材または継ぎ足し部材から取外されたとき、操作部材を紛失するおそれがない。ばね部材は、たとえばコイルばねから成り、またはゴムひもなどから成ってもよく、比較的小さいばね力を有し、操作部材のベース部材または継ぎ足し部材への連結、離脱に支障をきたすことはない。ばね部材は、操作部材が連結されるベース部材または継ぎ足し部材に対応した高さに応じて、伸縮し、したがってばね部材が不所望に長く伸びた状態になっていることはなく、障害物にばね部材が絡まるおそれはない。
【００１４】
また本発明は、第１連結部は、
基端部が取付け板に固定され、遊端部に装着孔を有する筒体と、
筒体内で装着孔に臨んでばね力を発生するばね片とを含み、
第２連結部は、
ばね片のばね力に抗して装着孔に挿脱自在である頭部と、
頭部に連なるくびれ部とを含むことを特徴とする。
【００１５】
本発明に従えば、図１〜図７に関連して後述されるように、ベース部材の第１連結部と操作部材の第２連結部とを、ばね片のばね力を利用して装着、離脱する操作を容易に行うことができる。
【００１６】
また本発明は、第１および第２連結部は、それらの軸線まわりに３６０度未満の相互の角変位によって、着脱可能である構成を有することを特徴とする。
【００１７】
本発明に従えば、図８〜図１１に関連して後述されるように、操作部材を、たとえば操作者が親指と人差し指とによって摘んでベース部材と相互に角変位し、３６０度未満、たとえば好ましくは４５度の角変位操作によって、ベース部材の第１連結部と操作部材の第２連結部との連結、離脱を容易に行うことができる。
【００１８】
また本発明は、第１連結部は、外方に臨む案内溝を有し、
第２連結部は、案内溝に係合する係合凸部を有し、
操作部材には、ベース部材から遠去かる方向にばね力を発生する弾発片が設けられ、
案内溝は、操作部材がベース部材に近づく方向に弾発片のばね力に抗して一旦、押圧され、次にその押圧が行われなくなることによって、案内溝と係合凸部との係合状態を達成し、
この係合状態で、操作部材がベース部材に近づく方向に弾発片のばね力に抗して一旦、押圧され、次にその押圧が行われなくなることによって、係合状態を解除する構成を有することを特徴とする。
【００１９】
本発明に従えば、図１２〜図１４に関連して後述されるように、操作部材を弾発片のばね力に抗して押圧する度に、ベース部材の第１連結部と操作部材の第２連結部との連結、離脱が行われ、これによってベース部材と操作部材との連結、離脱の操作が容易である。
【００２０】
本発明の実施の他の形態では、ベース部材の第１連結部と継ぎ足し部材の第３連結部との連結、離脱のために、また操作部材の第２連結部と継ぎ足し部材の第４連結部との連結、離脱のためにもまた、前述の請求項４〜６の各構成のうちの１つを実施することができ、さらに複数の継ぎ足し部材相互の連結のために、すなわち一方の継ぎ足し部材の第３連結部と、他方の継ぎ足し部材の第４連結部との連結、離脱のためにも、請求項４〜６の構成を実施することもできる。
【００２１】
また本発明は、（ａ）基板に固定される取付け板と、
（ｂ）取付け板に、前記長辺に沿って間隔をあけて立設され、遊端部に第１連結部が形成され、カルテの長辺の一側部に形成された綴じ孔をそれぞれ貫通する複数のベース部材と、
（ｃ）操作部材であって、
第１連結部に取外し可能にばね力によって連結される第２連結部を有し、
カルテの綴じ孔がベース部材の遊端部から第１および第２連結部の連結状態で綴じ孔よりも外側方に突出し、外方に抜け出すことを防ぐ抜け出し防止部を有する操作部材とを含むことを特徴とするカルテの綴じ装置である。
【００２２】
【発明の実施の形態】
図１は本発明の実施の一形態のカルテの収納装置１の一部の斜視図であり、図２はそのカルテの収納装置１の全体の構成を示す斜視図である。カルテの収納装置１は基本的には、基板である第１表紙部２と第２表紙部３と綴じ装置４とを含む。第１および第２表紙部２，３は、紙製であり、内折れ部５で綴じ装置４を内方にして折り畳むことができる。第１および第２表紙部２，３は、カルテ６の平面形状とほぼ同一の大きさを有し、たとえば日本工業規格ＪＩＳ  Ａ４版の長方形であり、カルテ６は縦長にして第１表紙部２の上方に綴じ装置４によって綴じられて上方に重ねられる。
【００２３】
綴じ装置４は、第１表紙部２の内面上でその長辺の一側部付近に設けられる。綴じ装置４は第１表紙部２に固定される取付け板７と、取付け板７に、前記長辺に沿って間隔をあけて立設される複数（たとえばこの実施の形態では一対）のベース部材８，９と、このベース部材８，９に連結、離脱可能な操作部材１１，１２とを有し、さらにこれらの操作部材１１，１２に設けられた第１突片１３，１４と、操作部材８，９、したがって取付け板７に設けられた第２突片１５，１６とは、コイルばねであるばね部材１８，１９によって連結される。カルテ６の長辺の一側部には、一対の綴じ孔２１，２２が形成され、この綴じ孔２１，２２に、ベース部材８，９がそれぞれ挿通して綴じられ、複数枚のカルテ６が上下に重ね合されて、綴り合わされる。第１突片１３，１４は、操作部材１１，１２から外側方に突出し、カルテ６の前記一側部の外側部に突出しているので、カルテ６がベース部材８，９から抜け出すことが防がれる。操作部材１１，１２は、その形状が円板状であり、第１突片１３，１４が半径方向外方に伸びる。
【００２４】
ばね部材１８，１９は、ベース部材８，９および後述の継ぎ足し部材２３，２４（図７参照）によって綴られたカルテ６の厚みよりも長く弾発的に伸びることができる。取付け板７は、その長手方向両端部で、その取付け板７と第１表紙部２を挿通する止めピン２６，２７によって固定される。
【００２５】
ベース部材８，９の上部である遊端部には、第１連結部３１，３２が形成される。操作部材１１，１２には、第２連結部３３，３４が設けられる。第１および第２連結部３１，３２；３３，３４は、取外し可能にばね力によって連結される。第１突片１３，１４は、カルテ６の綴じ孔２１，２２がベース部材８，９の遊端部から第１および第２連結部３１，３２；３３，３４の連結状態で綴じ孔２１，２２よりも外側方に突出し、カルテ６が外方に抜け出すことを防ぐ抜け出し防止部を構成する。操作部材１１，１２の外径を、ベース部材８，９の外径および綴じ孔２１，２２の内径よりも大きい値に選び、カルテ６の抜け出しを防止してもよい。
【００２６】
図３はベース部材８とその付近の構成を示す断面図であり、図４はベース部材８の平面図であり、この図４の切断面線ＩＩＩ−ＩＩＩは、図３に示される。
【００２７】
図５は、図３の切断面線Ｖ−Ｖから見た断面図である。図６は、図４の切断面線ＶＩ−ＶＩから見た断面図である。これらの図面を参照して、ベース部材８は、直円筒状であり、その底である基端部３６が取付け板７に固定され、遊端部にはカバー部３７が固定され、このカバー部３７には、装着孔３８が形成される。筒体３５内でカバー部３７の下面に近接してＵ字状のばね片３９が固定される。このばね片３９の一対の接触部４１，４２は、装着孔３８に部分的に露出する。このばね片３９の連結屈曲部４３は、筒体３５の内面に溶接などによって固定される。
【００２８】
第２連結部３３は、頭部４５と、くびれ部４６とを有する。くびれ部４６の基端部すなわち上部は、操作部材１１の下面に固定される。頭部４５は、第１頭部分４７と第２頭部分４８とを有する。第１頭部分４７は、くびれ部４６の遊端部の延長方向（図６の下方）になるにつれて先細状に、ほぼ円錐台状または円錐状、さらには球の一部分の形状をなす。第２頭部分４８は、くびれ部４６の遊端部に連なり、そのくびれ部４６の遊端部方向（図６の下方）になるにつれて外形が拡がるように形成され、第２頭部分４７の大径基端部に連なる。こうして第２連結部３３が第１連結部３１の装着孔３８に押込まれるとき、第１頭部分４７はばね片３９の接触部４１，４２を図４の参照符４９のように押し拡げて弾発的に入り込む。こうしてくびれ部４６に接触部４１，４２が位置して図６のように安定に、連結状態が保たれる。この連結状態を解除するには、操作部材１１を図６の上方に引っ張り、これによって第２頭部分４８はばね片３９の接触部４１，４２を再び図４の参照符４９のように押し拡げ、これによって装着孔３８の外方に第２連結部３３を取出して、第１および第２連結部３１，３３の連結を解除することができる。
【００２９】
図７は、本発明の実施の他の形態の一部の断面図である。この実施の形態は、前述の図１〜図６の実施の形態に類似し、対応する部分には同一の参照符を付す。注目すべきはこの実施の形態では、継ぎ足し部材２３，２４は、同一構成を有し、多数枚のカルテ６を、綴じ孔２１，２２で綴り合わせることができる。継ぎ足し部材２３は、カルテの綴じ孔２１を貫通して軸線方向（図７の上下方向）の一端部に第１連結部３１に取外し可能にばね力によって連結される第３連結部５１を有し、また軸線方向の他端部に、操作部材１１の第２連結部３３に取外し可能にばね力によって連結される第４連結部５２を有する。第３連結部５１は、前述の第２連結部３３に類似する構成を有し、継ぎ足し部材２３の筒体３５ａの基端部３６ａに立設して設けられる。第４連結部５２は、前述の第１連結部３１に類似する構成を有し、対応する部分には同一の数字に添字ａを付して示す。継ぎ足し部分２３の遊端部に形成される第４連結部５２には、もう１つの継ぎ足し部材２４の第３連結部５１がばね力で取外し可能に連結することができる。こうして１または複数の連結部材２３，２４を、ベース部材８に取外し可能に連結し、多数のカルテ６を閉じることができる。そのほかの構成は、前述の実施の形態と同様である。
【００３０】
図８は、本発明の実施の他の形態の断面図である。この実施の形態は、前述の実施の形態に類似し、対応する部分には同一の数字に添字ｂを付して示す。操作部材１１ｂは、ベース部材８ｂに着脱可能に取付けられる。この操作部材１１ｂには、下方に垂下する筒部５３と、この筒部５３の内方に突出する係合凸部５４，５５とを有する。係合部５４，５５は、ベース部材８ｂおよびそれと装着状態となっている操作部材１１ｂの共通な軸線５６に関して周方向に１８０度ずれて設けられる。
【００３１】
図９は、ベース部材８ｂの一部の周方向展開図である。このベース部材８ｂの上部の外周面は、図９において斜線を施して示す。ベース部材８ｂの上部には、案内溝５８，５９が形成される。案内溝５８は、係合部５４が嵌り込んで軸線５６に角度θ１で傾斜した傾斜部６１と、この傾斜部６１に連なり、軸線５６に垂直に周方向に延びる垂直部６２とを含み、傾斜部６１は、端部６３で上方に開放する。もう１つの案内溝５９は、傾斜部６１と同様な構成を有し、軸線５６のまわりに周方向に１８０度ずれて形成される。係合部５４を開口部６３から傾斜部６１を経て垂直部６２に係合し、ストッパ片６４によって弾発的に係合部５４が休止部６５に位置することによって、ベース部材８ｂに操作部材１１ｂを安定して装着した状態を保つことができる。操作部材１１ｂを、上述の装着時とは逆方向に軸線５６のまわりに角変位することによって、係合部５４はストッパ片６４を経て垂直部６２から傾斜部６１を経て操作部材１１ｂが上方に変位し、ベース部材８ｂと操作部材１１ｂとの連結が解除される。
【００３２】
図１０は、図８および図９に示される実施の形態における操作部材１１ｂの簡略化した断面図である。係合部５４，５５は、前述のように軸線５６に対して周方向に１８０度ずれた位置に、設けられる。
【００３３】
案内溝５８は、図８〜図１０の実施の形態における第１連結部を構成し、係合部５４，５５は第２連結部を構成する。さらに前述の第１連結部３１ｂおよび第２連結部３３ｂが設けられていてもよいが、これらの連結部３１ｂ，３３ｂは省略されてもよい。係合部５４と案内溝５８との連結は、軸線５６まわりに３６０度未満、たとえば前述のように４５度の相互の角変位によって着脱可能である。図９における参照符Ｌは、軸線５６まわりのベース部材８ｂおよび操作部材１１ｂの周方向の長さを示す。
【００３４】
図１１は、本発明の実施の他の形態の一部の断面図である。この実施の形態は前述の実施の形態に類似し、対応する部分は同一の参照符を付す。注目すべきは、この実施の形態では、継ぎ足し部材７１，７２が設けられる。操作部材１１ｂに設けられた係合部５４と同様に、継ぎ足し部材７１，７２には係合部５４ｃ，５５ｃ；５４ｄ，５５ｄがそれぞれ形成され、またこれらの継ぎ足し部材７１，７２には、案内溝５８ｃ，５９ｃ；５８ｄ，５９ｄがそれぞれ形成される。さらに前述の実施の形態と同様な第１連結部３１ｃ，３１ｄが設けられ、また第２連結部３３ｃ，３３ｄが設けられてもよい。第２連結部３３ｃ，３３ｄは、継ぎ足し部材７１，７２の筒部内に設けられた連結部７５，７６にそれぞれ下方に垂下して設けられる。そのほかの構成と動作は、前述の実施の形態と同様である。
【００３５】
図１２は本発明の実施の一形態の簡略化した断面図であり、この実施の形態は前述の図１〜図１１の実施の形態に類似し、対応する部分には同一の参照符および同一の数字に添え字ｅを付して示す。注目すべきはこの実施の形態ではベース部材８ｅに案内孔８１が形成され、この案内孔８１には、操作部材１１ｅの下面に固定された案内棒８２が図１２の上下に変位可能に嵌合される。操作部材１１ｂに固定されたコイルばねである弾発片８３の上端部は、操作部材１１ｅに固定される。案内棒８２が案内孔８１に嵌込まれた状態で弾発片８３の下端部は、ベース部材８の頂部に当接し、この弾発片８３は操作部材１１ｅを図１２の上方、すなわちベース部材８ｅから離反する方向に、ばね力を発生する。
【００３６】
図１３は、図１２に示される構成の一部を説明するための断面図である。ベース部材８ｅの案内孔８１の内周面は、図１３において斜面を施して示す。案内棒８２には、係合凸部８５が半径方向外方に突出して形成される。案内棒８２は、軸線８６を有する直円柱状である。案内孔８１は、軸線８６と同一軸線を有する直円筒状の内周面を有する。案内孔８１の内周面には、図１３に示される案内溝８８が形成される。この案内溝８８には、係合凸部８５が係合する。操作部材１１ｅが、ばね８３のばね力に抗して図１２および図１３の下方に押し込まれることによって、案内溝８８の軸線８６に平行に伸びる縦案内溝部８９から斜案内溝部９１に導かれ、参照符８５ｇに示される位置に到達する。係合凸部８５は、斜案内溝部９１の下面９７に、押圧によって案内されて休止部９９に到達し、参照符８５ｇで示される状態に係合凸部８５が至る。そこで操作者による操作部材１１ｅの押圧が行われなくなることによって、ばね８３のばね力によって操作部材１１ｅが図１３の上方に変位し、これによって係合凸部８５ｇは、案内上面９２に斜めに案内されて、図１３の実線で示されるように、休止部９３に到達し、安定状態に保たれる。こうして第２連結部を構成する係合凸部８５は、第１連結部を構成する案内溝８８の休止部９３に至り、連結状態となった係合凸部８５と休止部９３との係合状態が保たれる。
【００３７】
この係合状態で、操作部材１１ｅを再び押圧すると、案内溝８８の斜案内溝部９４の下面９５を経て参照符８５ｈで示されるように、係合凸部８５が変位する。次にこの押圧が行われなくなることによって、係合凸部８５ｈは、縦の案内溝部９６を経て上方にばね８３のばね力によって変位し、こうして係合凸部８５と案内溝８８との連結が解除される。
【００３８】
図１４は、本発明の実施のさらに他の形態の一部の断面図である。この実施の形態では、図１２および図１３の実施の形態に類似し、対応する部分には同一の参照符を付す。注目すべきはこの実施の形態では、継ぎ足し部材１０１が設けられる。この継ぎ足し部材１０１は、ベース部材８ｅの構成に類似し、案内孔１０２とその下部に設けられる案内棒１０３を囲むコイルばねである弾発片１０４とを含む。案内溝１０２の内面は、前述の図１３に関連して示される案内溝８８が形成される。案内棒１０３には、前述の係合凸部８５と同様な係合凸部１０５が当接され、ベース部材８ｅの案内孔８１に形成された案内溝８８に係合する。そのほかの構成は、前述の実施の形態と同様である。継ぎ足し部材１０１は、さらに前述の実施の形態と同様に、複数個上下に連結されてもよい。
【００３９】
取付け板７は、第１表紙部２の下方に配置され、ベース部材８，９が第１表紙部２に形成された取付け孔を挿通して第１表紙部２の図１における上方に突出するように構成されてもよい。
【００４０】
図１５は、本発明の実施の他の形態のカルテの収納装置１ｆの一部の断面図である。この実施の形態は、前述の実施の形態と同様であり、対応する部分には同一の参照符を付し、また同一の数字に添え字ｆを付して示す。注目すべきはこの実施の形態では、基板２ｆは単一枚の長方形シート状であり、カルテとほぼ同一平面形状である。この基板２ｆの一側部付近に、本発明に従う綴じ装置４ｆが設けられる。そのほかの構成は、前述の実施の形態と同様である。
【００４１】
本発明の綴じ装置４，４ａ〜４ｆは、銅、鉄などの金属製であってもよいが、電気絶縁性合成樹脂製であってもよく、さらにそのほかの材料から成ってもよい。金属が選ばれる場合、銅などの非磁性材料が好ましい。
【００４２】
【発明の効果】
本発明によれば、患者毎のカルテの枚数が増加しても、ぶ厚くならないようにすることができ、保管スペースを低減し、さらにプリンタによる印字記録を容易にするとともに、医師などによる手を使った筆記を容易にすることができる。また患者毎のカルテが１枚または２〜３枚程度であってその枚数が少ないとき、本発明のカルテの収納装置はその構成が簡単であるので、少ない枚数のカルテに比べて本発明の収納装置の構成が過大になるおそれはないという優れた効果が達成され、これによって通院回数が少ない多数の患者に対応して本発明のカルテの収納装置が実現される。
【００４３】
また本発明によれば、継ぎ足し部材を用いることによって、多数枚のカルテを収納することができる。また複数の継ぎ足し部材相互間を離脱して、多数枚の重ね合されたカルテのうち、希望するカルテを迅速に取出すこともまた、可能であり、作業性が良好である。
【図面の簡単な説明】
【図１】本発明の実施の一形態のカルテの収納装置１の一部の斜視図である。
【図２】カルテの収納装置１の全体の構成を示す斜視図である。
【図３】ベース部材８とその付近の構成を示す断面図である。
【図４】ベース部材８の平面図である。
【図５】図３の切断面線Ｖ−Ｖから見た断面図である。
【図６】図４の切断面線ＶＩ−ＶＩから見た断面図である。
【図７】本発明の実施の他の形態の一部の断面図である。
【図８】本発明の実施の他の形態の断面図である。
【図９】ベース部材８ｂの一部の周方向展開図である。
【図１０】図８および図９に示される実施の形態における操作部材１１ｂの簡略化した断面図である。
【図１１】本発明の実施の他の形態の一部の断面図である。
【図１２】本発明の実施の一形態の簡略化した断面図である。
【図１３】図１２に示される構成の一部を説明するための断面図である。
【図１４】本発明の実施のさらに他の形態の一部の断面図である。
【図１５】本発明の実施の他の形態のカルテの収納装置１ｆの一部の断面図である。
【符号の説明】
１  カルテの収納装置
２  第１表紙部
３  第２表紙部
４，４ａ〜４ｆ  綴じ装置
６  カルテ
７  取付け板
８，９，８ａ〜８ｆ  ベース部材
１１，１２  操作部材
１３，１４  第１突片
１５，１６  第２突片
１８，１９  ばね部材
２１，２２  綴じ孔
２３，２４，１０１  継ぎ足し部材
２６，２７  止めピン
３１，３２  第１連結部
３３，３４  第２連結部
３５  筒体
３９  ばね片
４１，４２  接触部
４５  頭部
４６  くびれ部
５１  第３連結部
５２  第４連結部
５４，５５  係合部
５８，５９，８８  案内溝
８１  案内孔
８２  案内棒
８３  弾発片
８５  係合凸部
【図１】
0003677022.tif 000002
【図２】
0003677022.tif 000003
【図３】
0003677022.tif 000004
【図４】
0003677022.tif 000005
【図５】
0003677022.tif 000006
【図６】
0003677022.tif 000007
【図７】
0003677022.tif 000008
【図８】
0003677022.tif 000009
【図９】
0003677022.tif 000010
【図１０】
0003677022.tif 000011
【図１１】
0003677022.tif 000012
【図１２】
0003677022.tif 000013
【図１３】
0003677022.tif 000014
【図１４】
0003677022.tif 000015
【図１５】
0003677022.tif 000016